(57)【要約】【課題】  建築物に塗装又はシーリング等を施す場合に使用される、壁材等を汚さないように粘着層を有するテープ、またはシート（養生テープ等）等を圧着作業時、壁材等に傷等を付けず、左右どちらの手でも安定して使用でき、作業効率も向上させるための圧着ローラーである。【解決手段】  粘着層を有するテープ、シート等を圧着するための圧着ローラーであって、前記圧着ローラーは圧着作業時、圧着ローラーのゴム状からなる被覆部と指嵌め金具又は指との距離が短く、支持金具の先に指を嵌める金具を取り付けた圧着ローラーにすることにより、解決される。【選択図】    図１
2011122367.tif 000002
【特許請求の範囲】
【請求項１】
粘着層を有するテープ、シート等を圧着するための圧着ローラーあって、前記圧着ローラーは筒状基部と支持金具の先に指を嵌める金具を配置したことを特徴とする圧着ローラー。
【請求項２】
前記指を嵌める金具は、１本から４本まで嵌めることが出来る請求項１に記載の圧着ローラー。
【請求項３】
前記筒状基部の支持金具は安定感を保てるように指嵌め金具又は指と被覆部との距離が１mm〜50mmであることを特徴とする請求項１〜２のいずれかに記載の圧着ローラー。
【請求項４】
前記筒状基部は壁材に金具があたらないよう支持金具を筒状基部の中心に取り付けることを特徴とする請求項１から請求項３のいずれかに記載する圧着ローラー。
【発明の詳細な説明】
【技術分野】
【０００１】
本発明は、建築物の壁材等の汚れを防ぐために用いる粘着材を有するテープ、シート等を指にはめて圧着するための圧着ローラーに関するものである。
【背景技術】
【０００２】
建築物に塗装またはシーリング等を施す場合、壁材等の未施工部分に粘着材を有するテープ、シート等(以下養生テープ)が使用される。これはそのまま塗装またはシーリングを施すと、施工範囲外まで塗料、シーリング材等がはみ出し汚してしまうのを防止するためである。このような養生テープは、壁材に隙間なく密着させるのが望ましい。前記の養生テープの密着は圧着ローラーにより押さえつけながら未施工部分の壁材等に圧着される。前記のような圧着ローラーとしては金属やプラスチックからなる円筒状の基体の上に、ゴム状体からなる弾性体が一体に円筒状または凸凹上に形成され、回転圧着できるように握り部が支持軸に取り付けられた構造のものがある。（例えば特許文献１）
【０００３】
通常の場合はこのような圧着処理のみで十分に目的を達するが建物の壁材や構造により圧着ローラーの握り部や支持軸が壁材等に当たり傷を付けたり、圧着時利き手でない手で圧着しなければならない場合は圧着ローラーを持てず利き手でない手で握り圧着しなければならず、圧着ができない場合が生じる。そのため圧着ローラーを手から一度離し、指で押さえ付けながら持ち替えなければならず作業効率が落ちることになり好ましくない。そこで前記圧着ローラーによる壁材等への傷つけ防止、利き手以外での圧着、圧着ローラーを手から離す等、このような課題を比較的簡単に解決する技術も見当たらない。本発明はこのような状況において検討されたものである。
【先行技術文献】
【特許文献】
【０００４】
【特許文献１】特開２００８−２２３９
【発明の概要】
【発明が解決しようとする課題】
【０００５】
本発明が解決しようとする課題は、建築物に塗装またはシーリングを施す場合に使用される。壁材の汚れ防止をするための養生テープを圧着する場合に指にはめることで安定感が増し、壁材等へ傷を付けることなく左右どちらの手でも圧着でき作業効率を上げるための圧着ローラーを提供することにある。
【課題を解決するための手段】
【０００６】
前記目的を達成するために、請求項１、２に記載するように、粘着を有するテープ、シート等を圧着するためのローラーであって前記圧着ローラーは圧着作業時圧着ローラーの筒状基部と支持金具の先に１〜４本の指嵌め金具を取り付けることによって解決される。
【０００７】
また好ましくは請求項３に記載するように前記筒状基部の支持金具は安定感を保てるように指嵌め金具の長さを短くすることによって解決される。
【０００８】
また好ましくは請求項４に記載するように前記筒状基部は壁材に金具があたらないように支持金具を筒状基部中心に取り付けることによって解決される。
【発明の効果】
【０００９】
本発明は養生テープを圧着するための圧着ローラーであって、圧着ローラーの筒状基部中心から支持金具を取り付け、その先に指に嵌める金具を取り付ける圧着ローラーとしたことで、養生テープを圧着作業中圧着ローラーを手から離さず左右どちらの手によっても圧着作業ができる。
【００１０】
また、前記圧着ローラーの支持金具を短くする事により圧着作業時の力の分散を少なくすることで安定が良くなり壁材と養生テープの密着が高まる。
【００１１】
さらに前記筒状基部の中心に支持金具を配置する事により圧着作業時壁材等に当たり、傷付ける等の問題が生じることのない圧着ローラーである。
【図面の簡単な説明】
【００１２】
【図１】（a）は本発明の正面図、（b）はその側面からの概略断面図である。
【図２】（a）、（b）は使用時、ローラーの位置の例。また（c）は指嵌め金具を握りこんで（a）と同じ使用例。
【発明を実施するための形態】
【００１３】
請求項に記載する本発明は、養生テープを圧着する為の圧着ローラーであって、圧着作業時に前記圧着ローラーを指に嵌めて使用することにより、手から離すことなく、更に壁等を傷つけずに、養生テープの安定した圧着作業ができる。
【００１４】
図によって説明する。図１（a）の符号１は圧着ローラーであり、指嵌め金具５に指を差込み、前後に自在にローリングさせることが出来、養生テープを圧着する事が出来る。この指嵌め金具５は通常、金属材料で作られるが硬質プラスチック、又は硬質ゴム樹脂等でも使用できる。また、筒状基部２、支持金具４も同様に金属、プラスチック、ゴム樹脂等で形成し使用できる。前記筒状基部の上には、ゴム状体からなる被覆部３が形成されている。例えば、シリコーンゴム・天然ゴム・イソプレンゴム・クロロプレンゴム・アクリロニトリルブタジエンゴム・スチレンブタジエンゴム・ウレタンゴム・エチレンプロピレンゴム・フッ素ゴム等のゴム弾性を有する材料によって一体に形成される。その幅は、10ｍｍから150ｍｍ程度、厚さは、通常3mmから50ｍｍ程度のものである。ゴム状態からなる３被覆部は、養生テープを圧着し、粘着層を壁材等に密着させるための部分であるから、かなり弾性に富むことが好ましい。また、前記筒状基部２の中心部には、回転可能に支持軸４が形成されている。図１では、中心に設けられているが、圧着作業の状況等により、右端部、若しくは左端部、又は両側支持でも構わない。そして指嵌め金具５は、支持軸に溶接、接着、ビス止め、ネジ止め等により固定される。前記指嵌め金具５は、図１
（a）では、楕円形に区切りを入れているものだが、区切りを入れない物や丸型、四角型等、指にはめることが出来ればどのような形でも構わない。
【実施例】
【００１５】
以上の圧着ローラーを用い実際に圧着作業を行って、その効果を確認した。用いた圧着ローラーは図１の形をした指嵌め金具５に支持金具４はローラーと指嵌め金具５の距離が２ｍｍから３０ｍｍ程度、筒状基部２幅が４０ｍｍ、軟質ウレタンゴムからなる厚さ１０ｍｍ、幅５０ｍｍ径３０ｍｍからなる被覆部３の本圧着ローラーと従来の握り部のついた手で持つ圧着ローラー（径３０ｍｍ幅５０ｍｍで軟質ウレタンゴムからなる厚さ１０ｍｍの被覆部の圧着ローラーである）と比較を行った。すなわち建築物の粗面外壁ボードに、養生テープ（KAMOI  SB−２２９P）を用いて、入角目地、出角目地ジョイント目地などさまざまな状況の圧着作業を行った。なお、シーリング、塗装も施工した。
【００１６】
その結果は、本発明の圧着ローラーを用いた場合は、前記粗面外壁ボードには圧着ローラーによる傷等は一箇所も見られなかった。これに対して従来の圧着ローラーを用いた場合では、軒天及び入角に数箇所の傷が付いていた。
【００１７】
つぎに圧着作業性であるが、前記本圧着ローラーを用いた場合は、軒天と入角との３方向からの圧着作業や、右方向からと左方向からの圧着作業時、左右の指に圧着ローラーを嵌め圧着作業ができ、いずれの場合も前記圧着ローラーの支持軸が短いため安定して圧着することができ、圧着作業時間も１時間毎１５０ｍ分の養生テープを圧着する事ができた。これに対して従来の圧着ローラーを用いた場合では３方向からなる入角での圧着時では端部に取り付けられた支持軸が邪魔になり圧着作業が出来ず一度ローラーを離し指で圧着作業をした。そして左方向からの圧着作業時は、圧着ローラーを右手から左手へと持ち替え圧着作業をしたが（作業者が右利きの時）安定感が無く良好な圧着作業が出来なかった。そして１時間毎１００ｍ程度しか養生テープが貼れず、塗装とシーリングを施した後、前記圧着作業終了後、養生テープを剥がして目視してみると本発明の圧着ローラーを用いた場合は、養生テープと壁材の隙間から塗装材やシーリング材がにじみ出る事がなかったが、従来の圧着ローラーを用いた場合は養生テープと壁材との密着が不十分な箇所がありにじみや汚れ等の問題が生じた。
【００１８】
つぎに前述の圧着ローラーの好ましい例について説明する。請求項１及び請求項４に記載するように、必要に応じて１本から４本いずれかの指を指嵌め金具に差し込み、状況に応じて手の甲側や手のひら側にゴム状態からなる被覆部を位置し、圧着作業を行うことが好ましい。また作業箇所によって変わるが両方の手の甲側にゴム状からなる被覆部を位置して圧着作業を施せば左右方向または３方向からなる入角等の圧着作業時でも手から圧着ローラーを離すことなく作業効率も向上し、圧着ローラーを離し落下させる等の問題を生じることも無い。
【産業上の利用可能性】
【００１９】
本発明は建築物に塗装又はシーリングを施す前に、汚れ、にじみ等を防止するための養生テープの使用時、圧着ローラーを指に嵌めることで圧着ローラーによる壁材等への傷等を防ぎなおかつ安定性及び作業効率が向上する為の圧着ローラーである。
【符号の説明】
【００２０】
１  圧着ローラー
２  筒状基部
３  ゴム状体からなる被覆部
４  支持金具
５  指嵌め金具
【図１】
2011122367.tif 000003
【図２】
2011122367.tif 000004